(57)【特許請求の範囲】
【請求項１】
光が出射する表面部と、この表面部の反対側に位置する裏面部と、これら表面部および裏面部の一端側に位置して光源からの光を導入するための入射端面部とを有し、この入射端面部から入射した光を前記表面部から出射させるための導光板であって、
前記表面部には、集光性と方向制御性とを有し、前記裏面部にて反射した光を当該表面部から出射させるための複数の順方向の凸部がランダムに形成されており、
これら順方向の凸部は、前記表面部に対して垂直に投影した輪郭形状が前記入射端面部とほぼ平行な一辺を有する三角形をなし、かつ前記一辺がこの三角形の前記一辺を含まない頂点よりも前記入射端面部側に位置しており、前記表面部に対してほぼ垂直であって前記一辺を含まない一対の垂直面を有することを特徴とする導光板。
【請求項２】
前記表面部に対して垂直に投影した輪郭形状が前記入射端面部とほぼ平行な一辺を有する三角形をなし、この三角形の前記一辺を含まない頂点が前記一辺よりも前記入射端面部側に位置する複数の逆方向の凸部を前記表面部にランダムに形成し、これら逆方向の凸部は、前記表面部に対してほぼ垂直であって前記一辺を含まない一対の垂直面を有することを特徴とする請求項１に記載の導光板。
【請求項３】
前記順方向の凸部は、前記表面部に対して傾斜し、かつ前記一辺を含む錐面と、前記一対の垂直面とからなる三角錐であることを特徴とする請求項１または請求項２に記載の導光板。
【請求項４】
前記逆方向の凸部は、前記表面部に対して傾斜し、かつ前記一辺を含む錐面と、前記一対の垂直面とからなる三角錐であることを特徴とする請求項２に記載の導光板。
【請求項５】
前記順方向の凸部が三角柱状をなすことを特徴とする請求項１または請求項２に記載の導光板。
【請求項６】
前記逆方向の凸部が三角柱状をなすことを特徴とする請求項２に記載の導光板。
【請求項７】
前記順方向の凸部と前記逆方向の凸部とは、前記一辺を共有して一体的に形成されていることを特徴とする請求項２，請求項４および請求項６の何れかに記載の導光板。
【請求項８】
前記導光板の裏面部には、前記入射端面部と平行な方向に配列すると共に前記入射端面部と直交する方向に延びる三角柱状のプリズム面が形成されていることを特徴とする請求項１から請求項７の何れかに記載の導光板。
【請求項９】
請求項１から請求項８の何れかに記載の導光板と、
この導光板の前記入射端面部に向けて光を投射する光源と、
前記導光板の前記表面部に沿った平面部と、前記導光板の前記入射端面部と平行な方向に延びると共に前記入射端面部と直交する方向に配列する三角柱状のプリズム面とを有し、前記導光板の前記表面部に重ね合わされて前記導光板の前記表面部から出射する光を所定の方向に偏向させるための光偏向板と
を具えたことを特徴とする平面照明装置。
【発明の詳細な説明】
【０００１】
【発明の属する技術分野】
本発明は、側端面から導入した光を表面から放射する導光板およびこの導光板を用いた平面照明装置に関し、特に液晶表示面の照明に利用して好適なものである。
【０００２】
【従来の技術】
液晶ディスプレィのいわゆるバックライト光源として使用される平面照明装置は、光源ランプからの光を透明な導光板の側端面からこの導光板内に導き、導光板内での光の反射を利用して導光板の表面全域からこの光を均一に出射させるようにしたものである。平面照明装置が使用される液晶ディスプレィの特性を考慮した場合、この平面照明装置に要求される機能としては、全体として薄板状であること、および光源ランプの消費電力を極力抑えるものであることの他に、全体に亙って均一な光を出射させることが特に重要である。
【０００３】
このような目的のため、従来の平面照明装置は、導光板の裏面側に光反射シートを設けると共に導光板の表面側に頂角がほぼ９０度の二等辺三角柱状のプリズム面を平行に配列したプリズムシートをこれらのプリズム面の長手方向が相互に直交するように二枚重ね合わせた構造が採用される。つまり、導光板の裏面側から出射した光を光反射シートによって再び導光板内に入射させ、導光板の表面から出射した光を一対のプリズムシートによって収束させ、高輝度の照明光が得られるように配慮している。
【０００４】
また、導光板に入射した光の均一分散を意図して、この導光板の裏面に白色インクなどによる数百μm 程度の大きさのドットを無数に印刷したものも知られている。この場合、ドットが目障りとならないように、導光板とプリズムシートとの間に光拡散板を介在させ、導光板の表面から出射した光を光拡散板によって分散させるようにしている。
【０００５】
【発明が解決しようとする課題】
導光板の表面から出射した光は、この導光板の構造に依存した、通常、制御不可能な指向性を持っており、その最大輝度が得られる方向と所望の視認方向とが一致しない場合がほとんどである。このため、プリズムシートを導光板の表面に単に重ねただけでは、導光板からの光がプリズム面の一方の斜面側からのみ出射した状態となり、均一な分布の光強度を得ることができない。
【０００６】
白色インクによるドットを導光板の裏面に印刷し、この導光板内を伝播する光を拡散させるようにしたものでは、光の吸収損失が発生する欠点を有する。しかも、これらのドットが目立たないように、光拡散板を併用する必要があるため、この光拡散板を通過する光のほとんどが拡散光となってしまい、輝度の低下が著しく大きくなる結果、光量の大きな明るい光源を使用する必要があるため、大電力を消費する。その上、光の進行方向の制御がまったく不可能となってしまう。
【０００７】
また、従来のプリズムシートは、導光板からの拡散光を収束させることができるものの、導光板から出射する光は、導光板の表面に対して垂直ではなく、一般的に光源から離れる方向に傾斜している成分が多い。このため、従来のプリズムシートは、導光板の表面から出射する光を所望の方向、すなわち導光板の表面に対して垂直な方向に偏向させることができない。
【０００８】
さらに、従来の平面照明装置は、光拡散板の他に２枚のプリズムシートを導光板の上に重ね合わせて使用しているため、部品点数が多く、厚みを全体として薄くすることができなかった。また、光拡散板や２枚のプリズムシートでの界面反射などによる光の損失が大きく、光量の大きな明るい光源を使用する必要があり、装置全体のコンパクト化および低消費電力化を阻害する要因となる。
【０００９】
【発明の目的】
本発明の第１の目的は、損失が少なく、しかも高輝度の光を所望の分布で出射させることが可能な導光板を提供することにある。
【００１０】
また、本発明の第２の目的は、光の損失のみならず部品点数が少なく、しかも薄くコンパクトで低消費電力化が可能な平面照明装置を提供することにある。
【００１１】
【課題を解決するための手段】
本発明の第１の形態は、光が出射する表面部と、この表面部の反対側に位置する裏面部と、これら表面部および裏面部の一端側に位置して光源からの光を導入するための入射端面部とを有し、この入射端面部から入射した光を前記表面部から出射させるための導光板であって、前記表面部には、集光性と方向制御性とを有し、前記裏面部にて反射した光を当該表面部から出射させるための複数の順方向の凸部がランダムに形成されており、これら順方向の凸部は、前記表面部に対して垂直に投影した輪郭形状が前記入射端面部とほぼ平行な一辺を有する三角形をなし、かつ前記一辺がこの三角形の前記一辺を含まない頂点よりも前記入射端面部側に位置しており、前記表面部に対してほぼ垂直であって前記一辺を含まない一対の垂直面を有することを特徴とするものである。
【００１２】
本発明によると、入射端面部から導光板内に入射した光源からの光の一部は、導光板の裏面部で表面部側へ向けて全反射し、その一部が順方向の凸部に入り、集光されつつ表面部に対してより垂直に立った状態で導光板の外側に出射する。
【００１３】
また、本発明の第２の形態は、本発明の第１の形態による導光板と、この導光板の前記入射端面部に向けて光を投射する光源と、前記導光板の前記表面部に沿った平面部と、前記導光板の前記入射端面部と平行な方向に延びると共に前記入射端面部と直交する方向に配列する三角柱状のプリズム面とを有し、前記導光板の前記表面部に重ね合わされて前記導光板の前記表面部から出射する光を所定の方向に偏向させるための光偏向板とを具えたことを特徴とする平面照明装置にある。
【００１４】
本発明によると、入射端面部から導光板内に入射した光源からの光の一部は、導光板の裏面部で表面部側へ向けて全反射し、その一部が凸部に入り、集光されつつ表面部に対してより垂直に立った状態で導光板の外側に出射する。このようにして導光板の表面部から出射した光は、光偏向板により所定の方向に偏向される。
【００１５】
【発明の実施の形態】
本発明による導光板または平面照明装置において、導光板の裏面部に入射端面部と平行な方向に配列すると共に入射端面部と直交する方向に延びる三角柱状のプリズム面を形成するようにしてもよい。また、表面部に対して垂直に投影した輪郭形状が入射端面部とほぼ平行な一辺を有する三角形をなし、この三角形の先の一辺を含まない頂点が先の一辺よりも入射端面部側に位置する複数の逆方向の凸部を表面部にランダムに形成し、これら逆方向の凸部が表面部に対してほぼ垂直であって先の一辺を含まない一対の垂直面を有するものであってよい。
【００１６】
この場合、順方向および逆方向の凸部の三角形は、二等辺三角形であることが好ましく、表面部に対して傾斜し、かつ一辺を含む錐面と、一対の垂直面とからなる三角錐であってもよいし、三角柱状であってもよい。これら順方向および逆方向の凸部は、一辺を共有して一体的に形成されていてもよく、この場合、全体として四角柱状をなすものであってもよい。さらに、この三角形の頂点を含む二つの斜辺のなす角は、凸部を構成する材料の屈折率をｎ、凸部に入射する光線と平面部とのなす角をβとした場合、tan-1[cosβ・tan{π−２sin-1(1/n)}]以上であることが望ましい。また、表面部の単位面積当たりに占める順方向の凸部の割合を入射端面部から離れるほど大きく設定したり、表面部の単位面積当たりに占める順方向および逆方向の凸部の割合を入射端面部の長手方向に沿った表面部の幅方向両側端部で相対的に大きく設定することが望ましい。これら順方向および逆方向の凸部の大きさは、１５０μm以下であることが好ましい。さらに、順方向の凸部の２つの斜辺の長さと、逆方向の凸部の２つの斜辺の長さとが相互に異なっていてもよい。
【００１７】
一方、本発明による平面照明装置において、導光板の表面部および入射端面部以外の部分を覆う光反射シートをさらに設けてもよい。また、光偏向板のプリズム面および平面部の少なくとも一方に光拡散用の微小凹凸を形成するようにしてもよい。さらに、光偏向板の平面部と導光板の入射端面部側ほど平面部との間隔が拡がる傾斜面とのなす角を、平面部と入射端面部側ほど平面部との間隔が狭まる傾斜面とのなす角よりも小さくするようにしてもよい。
【００１８】
【実施例】
本発明による導光板を組み込んだ本発明による平面照明装置の実施例について、図１〜図１０を参照しながら詳細に説明するが、本発明はこのような実施例に限らず、これらをさらに組み合わせたり、同様な課題を内包する他の分野の技術にも応用することができる。
【００１９】
本発明の第１の実施例による平面照明装置の断面構造を図１に示し、その分解した状態の外観を図２に示す。すなわち、本実施例における平面照明装置１１は、矩形の板状をなす導光板１２と、この導光板１２の入射端面部１３に沿って配置される線状の光源ランプ１４と、導光板１２の表面部１５に重ね合わされる光偏向板１６と、導光板１２の入射端面部１３および表面部１５以外の部分を覆う光反射シート１７とを有する。また、冷陰極管や複数のＬＥＤにて構成される光源ランプ１４は、反射面が凹曲面となったリフレクタ１８で囲まれており、このリフレクタ１８からの反射光は、表面部１５とほぼ平行に導光板１２の入射端面部１３から導光板１２内に入射するようになっている。
【００２０】
本実施例における導光板１２は、透明なアクリル樹脂（ＰＭＭＡ）にて形成され、光源ランプ１４からの光を導入するための入射端面部１３と、この入射端面部１３の反対側に位置する反射端面部１９と、これら入射端面部１３および反射端面部１９の両側端に接続する一対の側端面部２０と、これら入射端面部１３および反射端面部１９および側端面部２０で囲まれて入射端面部１３から入射した光を出射させるための表面部１５およびその反対側に位置する裏面部２１とを有する。また、表面部１５と裏面部２１との間隔が入射端面部１３側に対して反射端面部１９側ほど狭くなるように、表面部１５に対して裏面部２１が０. ５度から１度程度傾斜したテーパ状となっている。
【００２１】
前述した光反射シート１７は、導光板１２の反射端面部１９と一対の側端面部２０と裏面部２１とを覆い、これらから出射する光を再び導光板１２内に反射させて導光板１２の表面部１５から出射させるためのものであり、白色の紙などを折り曲げたものである。
【００２２】
導光板１２の表面部１５を模式的に図３に示し、本実施例における順方向（以下、これを第１と記述する）の凸部の抽出拡大形状を図４に示す。すなわち、導光板１２の表面部１５には、この表面部１５に対して垂直に投影した輪郭形状が三角形をなし、一対の対称な垂直錐面２２と傾斜錐面２３とを有する二等辺三角錐形の第１の凸部２４がランダムに配置され、これら第１の凸部２４と後述する光偏向板１６との間、およびこの平面照明装置を液晶ディスプレィのバックライト光源として使用した場合における液晶パネルのセルと第１の凸部２４との間でそれぞれモアレ縞などが発生しないように配慮している。この場合、個々の第１の凸部２４を肉眼にて識別できないように、各第１の凸部２４の任意の一辺をそれぞれ１５０μm以下の大きさに設定することが好ましいが、製造の容易性を考慮して１０μm以上であることが望ましく、第１の凸部２４の大きさを１０〜１５０μmの範囲に設定することにより、従来のような光拡散板を使用する必要がなくなり、光の進行方向を比較的容易に制御することが可能となる。
【００２３】
また、第１の凸部２４の垂直錐面２２は、表面部１５に対して垂直をなしていることが好ましいけれども、導光板１２の製造時における金型に対する適当な抜き勾配を設定する必要上、表面部１５とのなす角が９０度を越えるように設定してもよい。また、突部２４の傾斜錐面２３の底辺２５は、入射端面部１３とほぼ平行に設定されている。
【００２４】
ところで、導光板１２の入射端面部１３に入射角、すなわち表面部１５と光線とのなす角がγで入射する光線は、導光板１２を構成する材料の屈折率ｎ（本実施例のアクリル樹脂の場合、ｎ＝１. ４９）に応じて
０≦｜γ｜≦sin -1（ｌ／ｎ）
を満たす入射角γの範囲で導光板１２内を進行する。そして、表面部１５側へ伝播する光線の一部は、第１の凸部２４内に入り、他の一部は表面部１５からそのまま導光板１２の外側に出射し、残りは表面部１５で全反射して裏面部２１側へ伝播する。
【００２５】
表面部１５および光偏向板１６の側面形状を拡大して図５に示し、第１の凸部２４の平面形状を図６に示す。すなわち、第１の凸部２４内に入った光線Ｌが一対の垂直錐面２２で全反射せずにここから出射するためには、表面部１５と平行な平面内を進行する光線Ｌを考えた場合、垂直錐面２２に対する光線Ｌの入射角をθとすると、
θ≦sin -1（ｌ／ｎ）
を満足する必要がある。ここで、円周率をπとすると、一対の垂直錐面２２のなす角α1 は、α1 ＝２・｛（π／２）−θ｝であるから、
α1 ≧π−２sin -1（ｌ／ｎ）
となるが、実際問題として、光線Ｌの光路を含む平面は、表面部１５に対して傾斜しており、この平面内における一対の垂直錐面２２のなす角αは、光線Ｌと表面部１５とのなす角をβとした時、tan α＝cos β・tan α1 であるから、
α≧tan -1［ cosβ・ tan｛π−２sin -1(1/n) ｝］
を満足すればよいことが判る。
【００２６】
具体的には、屈折率ｎが１. ４９のアクリル樹脂を導光板１２として採用した本実施例では、集光性を良くするためにαが８５〜１３５度の範囲にあることが望ましい。また、実際問題として、光線Ｌの光路を含む平面は表面部１５に対して傾斜しており、この光線Ｌと表面部１５とのなす角をβとした場合、これが垂直錐面２２で全反射せずにここから出射するためには、
β≦（３／２）・sin -1（ｌ／ｎ）
を満足する必要がある。ここで、β＝（３／２）・sin -1（ｌ／ｎ）の場合、本実施例における上述のαは約１３５度となるので、αが９５度から１３５度の範囲に収まるように、第１の凸部２４を形成することが好ましい。
【００２７】
つまり、上述した第１の凸部２４は表面部１５から出射する光の向きをより垂直に偏向させるように機能する。
【００２８】
光源ランプ１４から導光板１２に入射した光線は、この導光板１２中を進行するに連れてそのエネルギが減少するため、導光板１２の表面部１５に突設された第１の凸部２４の占有率を漸次変化させる必要がある。具体的には表面部１５から出射する光線がこの表面部１５全体に亙って均一な輝度となるように、表面部１５の単位面積当たりに占める第１の凸部２４の面積割合（以下、これを占有率と記述する）は、光源ランプ１４からの光の進行方向（図１中、右方向）に沿った表面部１５の位置と第１の凸部２４の占有率との関係を表す図７に示すように、反射端面部１９側ほど大きな占有率となるようにランダムに設定されている。
【００２９】
この場合、導光板１２の入射端面部１３に近接する表面部１５は、光源ランプ１４からの光が直接透過して輝度が高くなる傾向を有するため、入射端面部１３に近接する裏面部２１における第１の凸部２４の占有率をこれに続く部分よりも小さめに設定している。同様に、導光板１２の反射端面部１９に近接する表面部１５は、反射端面部１９からの反射光が透過して輝度が高くなる傾向を有するため、反射端面部１９に近接する裏面部２１における第１の凸部２４の占有率をこれに続く部分よりも小さめに設定している。
【００３０】
なお、光源ランプ１４の発光領域が導光板１２の入射端面部１３の幅寸法より短い場合には、導光板１２の幅方向両側端部に入射する光量が不足する傾向を持つ。このため、導光版１２の表面部１５の幅方向両側端部における第１の凸部２４の占有率を他の部分よりも相対的に大きく設定しておくことが望ましい。何れの場合にも、本実施例では第１の凸部２４の占有率の最大値を約７０％程度に設定しているが、それ以上の値に設定することも当然可能である。
【００３１】
前記光偏向板１６の側面形状を図５に示す。すなわち、本実施例における光偏向板１６は、透明なアクリル樹脂にて形成され、導光板１２の表面部１５と対向する平滑な平面部２６と、導光板１２の入射端面部１３と平行な方向に延びると共に入射端面部１３と直交する方向に配列する三角柱状のプリズム面２７とを有する。このプリズム面２７は、導光板１２の入射端面部１３側ほど平面部２６との間隔が拡がる第１の傾斜面２８と、この第１の傾斜面２８に続く第２の傾斜面２９とを交互に有し、平面部２６と第１の傾斜面２８とのなす角δ1 は、平面部２６と第２の傾斜面２９とのなす角δ2 よりも小さく、例えばδ1 を（２８±３）度に設定し、δ2 を（６２±３）度に設定している。
【００３２】
本実施例におけるプリズム面２７は、このプリズム面２７から出射する光をある程度拡散させるための適当な表面粗さを有する微小な凹凸を有しているが、この微小な凹凸を平面部２６に形成するようにしてもよい。また、第１の凸部２４を三角錐形に設定したが、三角柱状にすることも可能であり、この場合にも先の実施例と同様な効率の良い導光板を得ることができる。
【００３３】
次に、本発明による第２の実施例について、図８〜図１０を参照しながら詳細に説明するが、先の実施例と同一機能の部材にはこれと同一符号を記すに止め、重複する説明は省略するものとする。
【００３４】
すなわち、実施例による平面照明装置の断面構造を表す図８および凸部を抽出拡大した図９および図８中のＸ−Ｘ矢視断面構造を表す図１０に示すように、本実施例における導光板３０の表面部１５には、この表面部１５に対して垂直に投影した輪郭形状が菱形をなす逆方向（以下、これを第２と記述する）の凸部３１が形成されている。本実施例における第２の凸部３１は、先の実施例の第１の凸部２４の底辺２５と接して向かい合うように組み合わされ、入射端面部１３とほぼ平行に設定された底辺２５に対する頂点がこの底辺２５よりも入射端面部１３側に位置しており、一対の対称な垂直錐面３２と傾斜錐面３３とを有する二等辺三角錐である。本実施例では、第１の凸部２４と第２の凸部３１とが底辺２５を対称軸とする鏡像関係に設定されており、この場合、一方の垂直錐面２２の斜辺の長さに対して他方の垂直錐面３２の斜辺の長さが異なっていてもよく、底辺２５に対して直交する対角線Ｃに関して対称であることが望ましい。
【００３５】
第２の凸部３１は、反射端面部１９側から入射端面部１３側へ導光板３０内を戻る光を表面部１５の外へ導き出すのに主として機能するものである。このため、先の実施例のように表面部１５に対して裏面部２１をテーパ状に傾斜させる必要がなくなり、入射端面部１３側および反射端面部１９側共に均一な板厚に設定することが可能である。
【００３６】
また、前記導光板３０の裏面部２１には、入射端面部１３と平行な方向に配列すると共にこの入射端面部１３と直交する方向に延びて周知の如き光反射機能を持つ三角柱状のプリズム面３４が形成されており、これら第１および第２の凸部２４, ３１とプリズム面３４とよって、導光板３０の表面部１５からほぼ垂直の方向に出射光の方向を制御している。
【００３７】
また、本実施例における光偏向板３５のプリズム面３６は、頂角が９０度よりも小さな鋭角二等辺三角柱をなし、導光板３０の表面部１５と対向するように導光板３０の表面部１５に重ね合わされた状態で配置されている。
【００３８】
このように、本実施例では反射端面部１９側から入射端面部１３側へ導光板３０内を戻る光も積極的に表面部１５から導き出すようにしているため、導光板３０の表面部１５と正対する方向に強い輝度の光が放射される。
【００３９】
上述した実施例では、第１の凸部２４と第２の凸部３１とを組み合わせた形状に設定したが、傾斜錐面２３, ３３を表面部１５と平行に設定することによって四角柱状にすることも可能であり、この場合にも先の実施例と同様な効率の良い導光板を得ることができる。また、第２の凸部３１を第１の凸部２４と離して別々に配置し、この第１の凸部２４の分布状態に対して異なる分布状態、例えば入射端面部１３側ほど多くなるように配置することも可能であり、これによって反射端面部１９側から戻る光もより均一に導光板３０の表面部１５から導き出すことができる。
【００４０】
【発明の効果】
本発明の導光板および平面照明装置によると、集光性と方向制御性とを有し、導光板の入射端面部から入射した光を表面部から出射させるための複数の凸部をこの導光板の表面部に形成したので、入射端面部から導光板内に入射した光源からの光の一部は、導光板の裏面部で全反射し、損失なく導光板の表面部から導光板の外側に出射させることができる。このため、光の損失や消費電力が少なく、しかもより薄型の平面照明装置を得ることができる。
【００４１】
また、導光板の表面部に突設した凸部を、入射端面部から離れるほど裏面部の単位面積当たりに占める割合が大きくなるように設定したので、出射光の輝度分布を均一にすることができる上、凸部の大きさを１０〜１５０μm にしたことによって、凸部の目立たない良好な導光板を得ることができ、光拡散板を併用する必要がなくなる。
【００４２】
さらに、凸部の占有率を制御することによって、所望の輝度分布を有する導光板を得ることができる。
【図面の簡単な説明】
【図１】本発明による平面照明装置の第１の実施例の概略構造を表す断面図である。
【図２】図１に示した実施例の分解斜視図である。
【図３】図１に示した実施例における導光板の表面部の外観を表す平面図である。
【図４】図１に示した実施例における凸部の外観を抽出して表す拡大斜視図である。
【図５】図１に示した実施例における表面部および光偏向板の側面形状を抽出して表す拡大側面図である。
【図６】図１に示した実施例における凸部の平面図である。
【図７】入射端面部から反射端面部に至る導光板の表面部と、その単位面積当たりの凸部の占有率との関係を表すグラフである。
【図８】本発明による平面照明装置の第２の実施例の概略構造を表す断面図である。
【図９】図８に示した実施例における凸部の外観を抽出して表す拡大斜視図である。
【図１０】図８中のＸ−Ｘ矢視断面図である。
【符号の説明】
１１  平面照明装置
１２  導光板
１３  入射端面部
１４  光源ランプ
１５  表面部
１６  光偏向板
１７  光反射シート
１８  リフレクタ
１９  反射端面部
２０  側端面部
２１  裏面部
２２  垂直錐面
２３  傾斜錐面
２４  第１の凸部
２５  傾斜錐面の底辺
２６  平面部
２７  プリズム面
２８  第１の傾斜面
２９  第２の傾斜面
３０  導光板
３１  第２の凸部
３２  垂直錐面
３３  傾斜錐面
３４  プリズム面
３５  光偏向板
３６  プリズム面
α  一対の垂直錐面のなす角
β  平面部と光線とのなす角
δ1   平面部と第１の傾斜面とのなす角
δ2   平面部と第２の傾斜面とのなす角
Ｌ  光線
Ｃ  対角線
【図１】
0003875362.tif 000002
【図２】
0003875362.tif 000003
【図３】
0003875362.tif 000004
【図４】
0003875362.tif 000005
【図５】
0003875362.tif 000006
【図６】
0003875362.tif 000007
【図７】
0003875362.tif 000008
【図８】
0003875362.tif 000009
【図９】
0003875362.tif 000010
【図１０】
0003875362.tif 000011